【事件の表示】
　昭和６３年　特　許　願　第２８９５３７号「表示制御装置」拒絶査定に対する審判事件（平成２年５月２４日出願公開、特開平２−１３５３９３）について、次のとおり審決する。
【結論】
　本件審判の請求は、成り立たない。
【理由】
１．手続きの経緯・本願発明
　本願は昭和６３年１１月１６日に出願され、平成９年５月２３日付けで拒絶査定がなされたところ、平成９年７月１７日付けで審判請求がなされ、その後平成９年８月１４日付けで手続補正書が提出された。
　そして、本願発明は、上記審判請求の後に提出された手続補正書の特許請求の範囲第１項に記載された事項によって特定される下記のとおりのものである。
　　　　記
　表示パターンを該表示パターン毎の色変換テーブルを用いて色変換して出力する表示制御装置であって、
　少なくとも２つのフレームバッファと、
　メモリから表示対象の表示パターンを読み出すと共に、該表示パターンに対応する色変換テーブルを読み出してパレット格納手段に設定する手段と、
　前記読み出した表示パターンを前記パレット格納手段に設定した色変換テーブルにより色変換して前記一方のフレームバッファに格納すると共に、前記他方のフレームバッファに格納されているデータを読み出して表示装置に出力する手段と、
　を有することを特徴とする表示制御装置。
２．各引用文献の記載事項
　これに対し、原査定の拒絶の理由に引用した引用文献１、２及び周知例には以下のとおりの記載がある。
引用文献１：特開昭６０−２２５８９３号公報
　「この場合、ＶＲＡＭ４には第２図に示すように、静止画パターン（ドットパターン）が記憶される静止画パターンテーブル４ａ、静止画パターンを表示すべき位置が記憶される静止画位置テーブル４ｂ、各静止画パターンのカラーがカラーコード（４ビット）によって記憶される静止画カラーテーブル４ｃ、複数の動画パターンが記憶される動画パターンテーブル４ｄ、動画パターンを表示すべき座標等が記憶される動画制御テーブル群４ｅおよび動画パターンのカラーコードが記憶される動画カラーテーブル４ｆが各々設けられている。動画パターンテーブル４ｄは、第３図に示すように、８バイト毎に１つの動画パターンを記憶するようになっており、各動画パターンには各々異なる名称（図では”０”〜”２５５”で示す８ビットの名称）が設定されている。一例としてパターン名称”ｎ”に記憶されている動画パターンを同図に拡大して示すが、図中データ”１”の部分がパターン部分、データ”０”の部分が背景部分（透明部分）である。また、動画制御テーブル群４ｅは第４図（イ）に示すように、４バイト長の動画制御テーブル３２個から成り、各動画制御テーブルにはアドレスの低い方から順に０〜３１の番号が設定されている。ここでＮＯ．ｋの動画制御テーブルの内容（他の番号の動画表示テーブルと同様）を同図に拡大して示す。図に示す第０、第１バイトには、動画パターンを表示すべき位置のＹ、Ｘ座標（動画パターンの左上端位置が動画の基準位置になる）が記憶される。したがって、この第０、第１バイト内のデータを書換えると、動画が画面上を移動する。そして第２バイトには表示すべき動画パターンの名称が記憶され、第３バイト目は未使用になっている。次に、動画カラーテーブル４ｆは、第４図（ロ）に示すように８バイト長の記憶ブロック３２個からなっており、また、これらの記憶ブロックＢＣ０−ＢＣ３１は各々動画表示テーブルＮＯ．０〜ＮＯ．３１に対応して設けられている。ここで、同図に記憶ブロックＢＣｋ（ｋは０〜３１）の記憶内容を示す。図示のように記憶ブロックＢＣｋの第０〜第７バイトの下位４ビットにはＮＯ．ｋの動画表示テーブルが指定する動画パターンの第０〜第７バイトの色を指定するカラーコードが各々記憶されている。すなわち、動画パターンの第０パイトのデータ”１”の部分が記憶ブロックＢＣｋの第０バイト内のカラーコードによって色指定され、同様に動画パターンの第１〜第７バイトのデータ”１”の部分が記憶ブロックＢＣｋの第１〜７バイト内のカラーコードによって各々色指定される。」（公報２ページ右上欄５行−右下欄１４行）
　「画像データ処理回路１０は、ＣＰＵ２からインターフェイス回路１２を介して供給される画像データを順次ＶＲＡＭ４内の各テーブル内に書込む。そして、ＶＲＡＭ４の書込みが終了した時に、ＣＰＵ２から表示指令が出力されると、画像データ処理回路１０は静止画パターンテーブル４ａ、静止画位置テーブル４ｂおよび静止画カラーテーブル４ｃ内の各データを読出し、読出したデータに基づいてＣＲＴ画面の各ドット位置にいかなる色の静止画ドット表示を行なえばよいかを検知し、水平カウンタ９および垂直カウンタ１１の各カウント出力が示す電子ビームの走査位置に合わせて端子ＴＧから順次カラーコード（４ビット）を出力して、カラーパレット１３へ供給する。また、画像データ処理回路１０は、上述した静止画表示動作と平行して、動画パターンテーブル４ｄおよび動画制御テーブル群４ｅ内のデータに基づいて、動画表示に必要なデータを演算、抽出し、動画処理回路１５に供給する。」（公報３ページ右上欄１８行−左下欄１６行）
　「次に動画処理回路１５は、供給されたデータに基づいて、動画の表示を制御する回路であり、動画の表示タイミングを検出するとともに、このタイミングに基づいて該当する動画のカラーコードをカラーパレット１３に供給し・・
　次にカラーパレット１３は一種のコード変換回路であり、４ビットのカラーコードを、レッド力ラーデータＲＤ、グリーン力ラーデータＧＤ、ブルーカラーデータＢＤ（これらのカラーデー夕は各々３ビット）に変換してＤＡＣ（ディジタル／アナログ変換器）１４へ出力する。ＤＡＣ１４はカラーデータＲＤ、ＧＤ、ＢＤを各々アナログ信号に変換してＲＧＢ信号を作成し、このＲＧＢ信号をＣＲＴ表示装置５へ出力する。ここで、第５図にカラーコード、カラーデータ、表示色の各々の対応関係の一例を示す。」（公報４ページ左下欄１１行−右下欄１５行）
引用文献２：特開昭６０−２２０３８７号公報
　「画像メモリ５は例えば８ビット６４Ｋバイト分のＲＡＭ（ランダム・アクセス・メモリ）からなり、データバス２を介して表示データが書き込まれるようになっている。表示データはビット・マップ方式でこの画像メモリに蓄えられ、１ペル（ピクチャエレメント）あたり例えば４ｂｉｔで割りあてられている。従って同時に１６（＝２４）種類の色表示が可能である。画像メモリ５のデータはアドレス制御回路４の制御のもとて１バイト例えば８ビットずつ読み出され、後段のパラレル・シリアル変換回路８に送出される。上述のとおり、１ペルは４ビットで構成され、他方画像メモリ５から読み出されるデータは８ビットであって２ペル分である。そこで、このパラレル・シリアル変換回路が、２ペル分パラレルに読み出されてくるペルデータを、シリアルに１ペルごと後段に送出するようになっている。
　副メモリ６は上述画像メモリ５と同様に構成される（例えば８ビット３２Ｋバイト分）。図では１つの副メモリ６しか示されないけれど、複数の副メモリ６を設けるようにしてもよいことは後に理解されるであろう。副メモリ６の出力データはもう１つのパラレルシリアル変換回路９に送出される。このパラレルシリアル変換回路９は上述パラレルシリアル変換回路８と同一のものである。
　パラレルシリアル変換回路８，９から出力される２組の４ビット・ペルデータはマルチプレクサ１０を介して択一的にパレット回路１１に供給されここで映像信号Ｒ、Ｇ、Ｂ、Ｉに変換され、バッファ１２を介してＣＲＴに供給される。」（公報３ページ右上欄２行一左下欄１１行）
　「次に第４図を参照して第１図のパレット回路１１について説明しよう。この第４図においてパレット回路１１はデコーダ２５、パレットレジスト２６１〜２６ｎ、ゲート回路２６１〜２７ｎ及びオア回路２８からなっている。すなわち、マルチプレクサ１０からのペルデータは一旦ラッチ２９でラッチングされたのちデコーダ２５に供給される。デコーダ２５はｎ本例えば１６本の出力線２５１〜２５ｎを有し、４ビットのペルデータに応じて択一的に１つの出力端子から出力を生じるようになっている。このデコーダの出力線２５１はパレットレジスト２６１の書込信号入力及びゲート回路２７１のゲート信号入力に接続され、他の出力線２５２〜２５ｎも同様にして対応するパレットレジスタ２６２〜２６ｎ及びゲート回路２７２〜２７ｎに接続されている。そしてパレットレジスタ２６１〜２６ｎにはデータバス２を介してパレットデータが供給されるようになっている。
　パレットレジスタ２６１〜２６ｎの内容をセットするには、マルチプレクサ１０からの所定のペルデータを送出し、それに対応した単一のデコーダ出力線２５１〜２５ｎを付勢してそれに対応するレジスタ２６１〜２６ｎにデータパス２からのデータを蓄える。例えば出力線２５１を付勢してレジスタ２６１に転送パレットデータを蓄える。
　このようなパレットレジスタ２６１〜２６ｎの書き込みののちマルチプレクサ１０を介してデコーダ２５にペルデー夕が供給されるとゲート回路２７１〜２７ｎのうち対応するものがゲートを行ない、対応するパレットデータをオア回路２８を介してＣＲＴ側に色信号を供給することとなる。」（公報４ページ右下欄１５行−５ページ右上欄５行）周知例：特開昭５９−４０６８７号公報
　「この様にしてラインコンバータ３４により行変換して読出された標体イメージの座標画像画素信号は、シフトレジスタ３６に入力される。このシフトレジスタ３６はコンパレータ３２からマッチ信号が出力されている際に、標体画像メモリ１０から読出される画素信号を一行毎に並列直列変換しカラーエンコーダ３８に入力する。このカラーエンコーダ３８は、標体情報メモリ２６から読出されるカラー選択信号１１４に従いシフトレジスタ３６から入力される座標画素信号に所定の色彩処理を施し、これをバッファメモリ４０に入力する」（公報６ページ右下欄９行−最下行）
　「また、本実施例の装置においては、以上のようにしてなされるバッファメモリ４０への画素信号の書込みと、このバッファメモリ４０に書込まれた１行分の画像情報の読出しを同時に行い、一画面に複数の標体を表示するためにバッファメモリ４０及びこのバッファメモリ４０の書込みアドレスを指定するアドレスカウンタ４２を２組設けている。そして、マルチプレクサ４６を用い、各バッファメモリ４０への画素信号の書込み読出しを交互に行なっている。このマルチプレクサ４６は、その画素信号の書込み読出し切替を、同期ジェネレータ２８から出力される切替信号Ｐ１に従い行っている。また、各バッファメモリ４０の出力端には、その出力を択一的に選択する切替スイッチ４８が設けられており、一方のバッファメモリの画像信号書込み中に他方のバッファメモリからの読出しが行われる。この切替スイッチ４８のスイッチ切替えは、前記マルチプレクサ４６と同様、同期ジェネレー夕か２８から出力される切替信号Ｐ１に従い行われる。」（公報９ページ左上欄２行−右上欄１行）３．対比
　よって、引用文献１には「表示パターンを該表示パターン毎に色変換して出力する表示制御装置であって、メモリから表示対象の表示パターンを読み出すと共に、読み出した表示パターンをカラーパレットにより色変換して表示装置に出力する手段を有する表示制御装置」が記載されている。
　そして、本願発明と上記引用文献１に記載された発明とを比較すると、上記引用文献に記載された「表示パターンを該表示パターン毎に色変換して出力する表示制御装置」、「メモリから表示対象の表示パターンを読み出す」、「読み出した表示パターンをカラーパレットにより色変換して表示装置に出力する手段」、「表示制御装置」はは、それぞれ、本願発明の「表示パターンを該表示パターン毎に色変換して出力する表示制御装置」、「メモリから表示対象の表示パターンを読み出す」、「前記読み出した表示パターンを色変換テーブルにより色変換して表示装置に出力する手段」、「表示制御装置」に対応するから、本願発明と上記引用文献１に記載された発明とは「表示パターンを該表示パターン毎に色変換して出力する表示制御装置であって、メモリから表示対象の表示パターンを読み出すと共に、前記読み出した表示パターンを色変換テーブルにより色変換して表示装置出力する手段とを有する表示制御装置」で一致し下記の点で相違する。
　　　　記
▲１▼本願発明の表示制御装置は、表示パターン毎の色変換テーブルを有し、メモリから表示対象の表示パターンを読み出すと共に、表示パターンに対応する色変換テーブルを読み出してパレット格納手段に設定する手段と、パレット格納手段に設定した色変換テーブルにより色変換を行うのに対し、上記引用文献１のものは、一つの色変換テーブルを用いているため、「表示パターン毎の色変換テーブル」、「パレット格納手段に設定する手段」、「パレット格納手段に設定した色変換テーブル」を有していない点。
▲２▼本願発明の表示制御装置は、少なくとも２つのフレームバッファを有し、色変換した表示パターンを一方のフレームバッファに格納すると共に、他方のフレームバッファに格納されているデータを読み出して表示装置に出力する手段を有しているのに対し、上記引用文献１のものは、フレームバッファに関する記載はない点。
４．上記相違点に対する当審の判断
ａ．相違点▲１▼について
　上記引用文献２には画像表示を行うとき、画像メモリ（又は副メモリ）から入力された１ペル（ピクチャエレメント）毎のペルデータを、色変換して出力するパレット回路が記載されている。上記パレット回路に関する詳細な説明をみれば、上記パレット回路はパレットレジスタを複数有し、該パレットレジスタに記憶される色変換のためのデータは、ペルデータの入力に対応してデータバスから送られてくることが記載されている。
　そして上記送られてくる色変換のためのデータは、あらかじめどこかに記憶されていることが必要であることは自明のことであるから、上記引用文献２には、実質的に、表示ペルごとに色変換のためのデータを記憶しておき、メモリから表示対象のペルを読み出すと、表示ペルに対応した色変換のためのデータを読み出してパレットレジスタに設定する手段を有し、パレットレジスタに設定した色変換のためのデータにより色変換するものが記載されている。
　上記引用文献２のものは、色変換のためのデータの読み出し・設定をぺル単位で行っているのに対し、本願発明のものは表示パターン毎の色変換テーブルを読み出し・設定しているが、いずれも表示制御の単位として任意に選択可能なものであり、上記引用文献１のものも、その表示制御の単位として表示パターン毎に色変換を行っているのだから、上記引用文献２に記載された上記「色変換テーブル」、「設定手段」の技術思想を引用文献１の表示制御装置に転用して、表示パターン毎にその制御を行うことは設計可能な事項である。
　なお、表示パターン毎に色変換のためのデータをカラーマップバッファ（本願発明のパレット格納手段に相当する）に設定するものは、例えば特開昭６３−２５３９９０号公報に記載されている。
　したがって、上記相違点▲１▼は上記引用文献１に記載された発明に、上記引用文献２に記載された発明を転用することにより、当業者が容易になしえたものである。
　そして、上記引用文献１および２に記載された発明は、いずれも画像表示のための、色の表示制御装置に関するものであり、これらを組み合わせることに何ら技術的な困難性も存在せず、また、これらを組み合わせたこによる格別な効果も見られない。
ｂ．相違点２について
　色変換を行った後の出力をバッファリングすることは、例えば上記引用文献２にも記載されるとおり本願出願前周知の技術であり、また、バッファとしてダブルバッファを用いることは、上記周知例にも見られるように、当該技術分野に限らず周知の技術である。そして、上記周知例には、「少なくとも２つのバッファを有し、色変換した表示パターンを一方のバッファに格納すると共に、他方のバッファに格納されているデータを読み出して表示装置に出力する手段」が記載されているから、当該構成を引用文献１記載のものに付加することは単なる慣用手段の付加である。出願人は、上記周知例に記載されたバッファはラインバッファであり、本願発明のものはフレームバッファである点で相違すると主張しているが、画像表示装置に用いられるバッファとしてフレームバッファは本願出願前周知（特開昭６３−１２１８９０号公報、特開昭６３−１２４０８５号公報参照）であるから、当該バッファを構成するときラインバッファとするか、フレームバッファとするか（ま当業者が任意に選択し得た設計的事項である。
　そして、上記引用文献１、２及び周知例に記載された発明は、いずれも画像表示装置に関するものであり、これらを組み合わせることに何ら技術的な困難性も存在せず、また、これらを組み合わせたことによる格別な効果も見られない。
５．むすび
　以上のとおりであるから、本願発明は上記引用文献１、２に記載の発明および本願出願前の周知の事項とから、当業者が容易に発明することができたものであり、特許法第２９条第２項の規定により特許を受けることができない。
　よって、結論のとおり審決する。